(57)【要約】【課題】  電話帳登録されているユーザとのメールを送受信する頻度に従い、新規メール作成時の宛先候補に、頻度の高いユーザを並べることにより、頻繁にメールを送信するユーザへの宛先入力を簡易化し、操作性を改善することを目的とする。【解決手段】  アドレス情報をその優先度情報と共にメモリダイヤル情報として記憶するメモリー部と、アンテナを通してデータを送受信する通信部と、上記データの送受信の際に前記メモリー部に蓄積されているアドレス情報を検索すると共に、上記アドレス情報を優先度の高い順に並べるアドレス検索部と、上記優先度の高い順に並べられたアドレス情報を表示する表示部とを備えたもの。 【選択図】図１
2005159874.tif 000002
【特許請求の範囲】
【請求項１】
アドレス情報をその優先度情報と共にメモリダイヤル情報として記憶するメモリー部と、アンテナを通してデータを送受信する通信部と、上記データの送受信の際に前記メモリー部に蓄積されているアドレス情報を検索すると共に、上記アドレス情報を優先度の高い順に並べるアドレス検索部と、上記優先度の高い順に並べられたアドレス情報を表示する表示部とを備えたことを特徴とする携帯電話機。
【請求項２】
上記メモリー部に記憶されるアドレス情報には、電話番号、メールアドレスの少なくとも一つが含まれることを特徴とする請求項１に記載の携帯電話機。
【請求項３】
上記アドレス検索部は、上記データの送受信の際に前記メモリー部に蓄積されているアドレス情報を検索すると共に、上記メモリー部に登録されている送受信した相手の優先度を上げるように構成されていることを特徴とする請求項１に記載の携帯電話機。
【請求項４】
上記優先度情報はユーザが任意の値に設定あるいは固定することができるように構成されていることを特徴とする請求項１に記載の携帯電話機。
【請求項５】
上記優先度情報はデータを送信した場合の優先度の上げ幅と受信した場合の優先度の上げ幅を変えることができるように構成されていることを特徴とする請求項１に記載の携帯電話機。
【発明の詳細な説明】
【技術分野】
【０００１】
この発明は、メール作成時の宛先入力の操作性を改善した携帯電話機に関する。
【背景技術】
【０００２】
近年の携帯電話機は多機能化が進み、電話機能の他に電子メールの送受信機能が付与されている。また携帯電話機にはメモリダイヤルとして電話帳機能が必ず搭載されており、これに電話番号、住所、メールアドレス、ＵＲＬ等が登録できるようになっている。この電話帳機能も最近は充実してきており、数百以上の宛先（アドレス）を保存できるまでにメモリ容量が増大している。ところが、メールの送信相手を上記電話帳から検索する際、ユーザが多くの操作を毎回行わなければならず、操作性の悪いものであった。
【０００３】
図４は従来の携帯電話機におけるアドレス検索の構成を示すブロック図であり、図中、１はユーザがアドレス検索を行う操作部、２はユーザが指定した検索方法に従ってアドレス情報を実際に検索するアドレス情報検索部、３はアドレス情報を記憶しているアドレス情報記憶部、４はユーザが必要とする情報を表示する表示部、５はユーザが選びたいアドレスを決定するアドレス情報決定部である。
【０００４】
次に動作について説明する。ユーザが表示部４の表示にしたがって、操作部１より相手アドレスの検索方法を入力し、アドレス情報検索部２に通知する。アドレス情報検索部２は入力された検索方法に基づいてアドレス情報記憶部３からアドレスを検索する。ユーザが操作部１を用いて指定の相手アドレスを検出した場合、アドレス情報決定部５によりアドレスを決定し、アドレス検索を終了する。
【０００５】
このようにしてアドレス検索を行うが、検索対象のアドレスはアドレス情報記憶部３に記憶されている全アドレスとなるため、ユーザが効率よく指定のアドレスを検索完了するためには、操作部１により多くの情報を入力する必要があった。また、頻繁に使用するアドレスに対しても同様の操作を繰り返し行う必要があったため、手間暇を要し、ユーザに対する操作性を向上させることが望まれていた。
【０００６】
これに対し、電話番号について検索を簡易化したものとして、特開２００１−２８５４５４号公報（特許文献１参照）がある。これは、ＲＡＭ内に登録番号テーブルを備え、着信または発信の度毎に上記テーブルを参照し、同じ電話番号が使われる度に使用頻度検出回路のカウンタをインクリメントするようにし、ユーザが電話番号を検索する際に、上記テーブル参照の操作をすると、上記テーブル内のデータが使用頻度検出回路のカウンタ出力が大きい順に表示されるようになされている。
【０００７】
しかし、特許文献１のものは、電話帳機能としてのメモリダイヤル情報とは別にテーブルを管理し、このテーブルを用いて検索を簡易化しているため、相手先がメモリダイヤル情報に登録されているかどうかに拘わらず、新たに上記テーブルを作成しなければならず、携帯電話の中に保存されているメモリダイヤル情報を効率よく利用できていないという問題点があり、操作性の向上や製作コストの低減の障害となっていた。
【０００８】
【特許文献１】特開２００１−２８５４５４号公報
【発明の開示】
【発明が解決しようとする課題】
【０００９】
この発明は、上述のような課題を解決するためになされたもので、電話帳登録されているユーザとのメールを送受信する頻度に従い、新規メール作成時の宛先候補に、頻度の高いユーザを並べることにより、頻繁にメールを送信するユーザへの宛先入力を簡易化し、操作性を改善することを目的とするものである。
【課題を解決するための手段】
【００１０】
この発明に係る携帯電話機においては、アドレス情報をその優先度情報と共にメモリダイヤル情報として記憶するメモリー部と、アンテナを通してデータを送受信する通信部と、上記データの送受信の際に前記メモリー部に蓄積されているアドレス情報を検索すると共に、上記アドレス情報を優先度の高い順に並べるアドレス検索部と、上記優先度の高い順に並べられたアドレス情報を表示する表示部とを備えている。
【発明の効果】
【００１１】
この発明は上記のように携帯電話機を構成することにより、新規メール作成時の宛先入力で電話帳に登録されているアドレスを入力する場合、アドレス検索を簡易化し、操作性を改善することができる効果を有する。
【発明を実施するための最良の形態】
【００１２】
実施の形態１．
以下、図面を参照してこの発明の一実施形態について説明する。図１はこの発明の実施の形態１における携帯電話機の概略ブロック図、図２は図１のＲＡＭに保存されているデータの一例を示す図、図３は図１に示す実施形態の電子メールの処理動作の一例を示すフローチャートを示している。
【００１３】
図１において、１は所定のプログラムを実行する中央処理装置（ＣＰＵ）、２は上記プログラムが記憶されたＲＯＭ（リードオンリメモリ）、３はアンテナ１２を通してデータを送受信する通信部、４はデータが記憶されるＲＡＭ（ランダムアクセスメモリ）で、上述した電話帳として機能するメモリダイヤル情報（電話番号、住所、メールアドレス、ＵＲＬ、優先度等）が記憶されている。５はテンキー、ファンクションキー等からなる操作部、６は液晶表示パネル等からなる表示部、７は電子メールの送受信の際に前記ＲＡＭ４に蓄積されているメールアドレスを検索すると共に、優先度の高い順にデータを並べるメールアドレス検索部、８は上記検索の結果を見て、ユーザが操作部５を通して特定のアドレスを決定することに伴い動作するメールアドレス決定部、９はメール作成機能を制御するメール作成制御部、１０はメール着信時にスピーカー１１に着信音を発生させる着信音制御部である。
【００１４】
ユーザは、はじめに表示部６を見ながら操作部５を用いてＲＡＭ４に電話帳登録する。ＲＡＭ４には名前、電話番号、メールアドレスに加え、優先度情報も登録することができるようになされている。なお、優先度は逐次ユーザが任意の値に設定することも可能とし、任意の値に固定することも可能とする。
【００１５】
次に、ユーザがアンテナ１２を通して通信部３によりメールを送受信した場合、ＣＰＵ１がＲＡＭ４に登録されている優先度情報を操作し、メールを送受信した相手の優先度を上げる。ユーザが新規メールを作成する場合、メールアドレス検索部７によりＲＡＭ４に保存されている優先度情報を用いて、優先度の高い順にデータを並べる。そして、ユーザが表示部６を通して操作部５により新規メールの宛先を選ぶと、メールアドレス決定部８により決定されたメールアドレスがメール作成制御部９へ伝えられ、宛先入力が完了する。なお、メール受信時には着信音制御部１０により着信音を鳴らす信号がスピーカー１１に通知され、着信音が鳴動する。
【００１６】
図２は、図１におけるＲＡＭ４に保存されている電話帳登録データ例を示す。各メモリ番号００１、００２、００３、・・・に対して名前、電話番号、メールアドレス等が登録できるが、本発明では優先度も登録できるようにしている。優先度は数値で表され、数値が大きいほど優先度が高いと判断される。メモリ番号に対して優先度を設定することができるため、ユーザが優先度を設定するための特別なテーブルを作成する必要はない。
【００１７】
次に図３のフローチャートに従って本実施形態の動作について説明する。まず、記憶工程ＳＴ６において、ユーザが電話帳登録をする。これには前述したように、名前、電話番号、メールアドレスに加え、優先度情報も登録される。そしてステップＳＴ１でメールを受信した場合（Yes）、ステップＳＴ２の該当アドレスの優先度変更が行われ、その結果を記憶部（ＲＡＭ）へアクセスし、受信メールの送信元のアドレス優先度を上げる。ただし、記憶部（ＲＡＭ）に該当アドレスが存在しない場合は、処理をしない。
【００１８】
これらの処理は、ユーザの携帯電話端末に新規メールを受信したときに、携帯電話端末内の内部処理として自動的に行われる。また反対に、メールを送信する場合（ＳＴ１：No）には、はじめにステップＳＴ３の優先度順メールアドレス検索が行われ、記憶部（ＲＡＭ）において、優先度が高いアドレスから順番に並べ替えられ、ディスプレイに表示する。ディスプレイに表示された情報を元にユーザはアドレスを選択し、ステップＳＴ４のアドレス情報の読出しにより宛先アドレスを決定する。同時に、ステップＳＴ５の該当アドレス優先度変更が動作し、決定した宛先アドレスの優先度を高める操作を自動的に行う。
このような構成にすることにより、ユーザは電話帳に登録されているデータの優先度を全く意識することなく、頻繁にメールを送受信する相手が優先的に表示されるので、新規メールを作成する場合は、アドレス検索が容易になり、操作性が向上する。
【００１９】
なお、優先度はユーザが任意の値に設定することも、任意の値に固定することも可能であり、また、送信時と受信時の優先度の重み付けを変えることもできる。これにより、メール送信した場合の優先度の上げ幅と受信した場合の優先度の上げ幅を変えることが可能となる。また、電話帳に登録されているデータ毎にメール送受信時の優先度の上げ幅も自由に設定可能とすることもでき、ユーザの要求に応じて多彩な優先度の利用が考えられ、利便性が向上するものである。
なお、上記実施の形態では、メール宛先入力について説明してきたが、電話の発着信についても同様に適用できることはもちろんである。
【図面の簡単な説明】
【００２０】
【図１】この発明の実施の形態１における携帯電話機の概略ブロック図である。
【図２】図１のＲＡＭに保存されているデータの一例を示す図である。
【図３】図１に示す実施形態の電子メールの処理動作の一例を示すフローチャートである。
【図４】従来の携帯電話機におけるアドレス検索の概略構成を示すブロック図である。
【符号の説明】
【００２１】
１  ＣＰＵ、２  ＲＯＭ、
３  通信部、
４  ＲＡＭ、５  操作部、
６  表示部、７  メールアドレス検索部、
８  メールアドレス決定部、
９  メール作成制御部。
【図１】
2005159874.tif 000003
【図２】
2005159874.tif 000004
【図３】
2005159874.tif 000005
【図４】
2005159874.tif 000006